(57)【要約】【課題】ユーザが、画像の撮影モードに含まれる複数の撮影条件について、設定が完了する前の撮影条件であるか、或いは、設定が完了した後の撮影条件であるかを容易に識別することができる表示制御装置、電子カメラ、表示制御方法、及び表示制御プログラムを提供する。【解決手段】撮像素子が撮像した撮像画像をモニタ１５の画面１５ａに表示させる。また、撮像画像の撮影条件に含まれる複数の設定項目のうち、設定が完了する前の設定項目と、設定が完了した後の設定項目とを識別可能な撮影条件設定バー３７をモニタ１５の画面１５ａ上に表示させる。【選択図】図５
2011244424.tif 000002
【特許請求の範囲】
【請求項１】
撮像手段が撮像する撮像画像を表示可能な表示手段と、
前記撮像画像について設定される複数の撮影条件を設定する設定手段と、
前記複数の撮影条件のうち、前記設定手段による設定が完了する前の撮影条件と、前記設定手段による設定が完了した後の撮影条件とを識別可能な識別画像を前記表示手段に表示させる制御手段と
を備えたことを特徴とする表示制御装置。
【請求項２】
請求項１に記載の表示制御装置において、
前記制御手段は、前記設定手段による設定が完了する前の撮影条件のうち、前記設定手段による設定が開始される前の撮影条件と、前記設定手段による設定が開始された後の撮影条件とを識別可能となるように、前記識別画像を前記表示手段に表示させることを特徴とする表示制御装置。
【請求項３】
請求項１又は請求項２に記載の表示制御装置において、
前記識別画像は、前記複数の撮影条件に個別に対応する複数のマークを含んで構成され、
前記制御手段は、前記設定手段による前記撮影条件の設定が完了した場合に、当該撮影条件に対応する前記マークの表示を変更することを特徴とする表示制御装置。
【請求項４】
請求項３に記載の表示制御装置において、
前記制御手段は、前記設定手段による前記撮影条件の設定が開始された場合に、当該撮影条件に対応する前記マークの表示を変更することを特徴とする表示制御装置。
【請求項５】
請求項３又は請求項４のうち何れか一項に記載の表示制御装置において、
前記撮像画像は動画であって、
前記複数の撮影条件は、前記動画の撮影方法を変更させる変更開始点を少なくとも一つ含んで構成され、
前記制御手段は、前記動画の撮影時に前記表示手段に前記識別画像を表示させると共に、前記動画の撮影が前記変更開始点を経過した場合には、前記動画の撮影が前記変更開始点を経過する前と比較して、前記変更開始点に対応する前記マークの表示を変更することを特徴とする表示制御装置。
【請求項６】
請求項３〜請求項５のうち何れか一項に記載の表示制御装置において、
前記制御手段は、前記設定手段による前記撮影条件の設定内容に応じて、前記識別画像の表示を変更することを特徴とする表示制御装置。
【請求項７】
請求項６に記載の表示制御装置において、
前記制御手段は、前記設定手段による前記撮影条件の設定内容に応じて、当該撮影条件に対応する前記マークの表示を変更することを特徴とする表示制御装置。
【請求項８】
請求項１〜請求項７のうち何れか一項に記載の表示制御装置において、
前記制御手段は、前記設定手段による前記撮影条件の設定が完了したかを識別可能な補助識別画像を前記表示手段に表示させることを特徴とする表示制御装置。
【請求項９】
撮像画像を撮像する撮像手段と、
前記撮像手段によって撮像された前記撮像画像を表示手段に表示させる請求項１〜請求項８のうち何れか一項に記載の表示制御装置と
を備えたことを特徴とする電子カメラ。
【請求項１０】
撮像手段が撮像した撮像画像を表示手段の画面上に表示する際に、前記撮像画像について設定される複数の撮影条件を設定した後、前記複数の撮影条件のうち、設定が完了する前の撮影条件と、設定が完了した後の撮影条件とを識別可能な識別画像を前記表示手段に表示させるようにしたことを特徴とする表示制御方法。
【請求項１１】
撮像手段が撮像した撮像画像を表示手段の画面上に表示させる表示制御装置に用いられる表示制御プログラムにおいて、
前記表示制御装置を、
撮像手段が撮像する撮像画像を表示可能な表示手段、
前記撮像画像について設定される複数の撮影条件を設定する設定手段、及び、
前記複数の撮影条件のうち、前記設定手段による設定が完了する前の撮影条件と、前記設定手段による設定が完了した後の撮影条件とを識別可能な識別画像を前記表示手段に表示させる制御手段
として機能させることを特徴とする表示制御プログラム。
【発明の詳細な説明】
【技術分野】
【０００１】
本発明は、撮像画像を表示させる表示制御装置、そのような表示制御装置を備える電子カメラ、表示制御方法、及び表示制御プログラムに関するものである。
【背景技術】
【０００２】
近年、デジタルスチルカメラなどの電子カメラにおいて、複数の動画撮影モードの中から所望の動画撮影モードを選択することにより、印象的な動画効果を有する動画を簡易な操作で撮影可能な構成が種々提案されている（例えば、特許文献１参照）。
【０００３】
すなわち、この特許文献１に記載の電子カメラは、動画撮影操作部の操作時点からの動画データを記憶する「単純動画撮影モード」、及び、静止画撮影操作部の操作時点の前後における動画データを記憶する「ショートムービー撮影モード」の二種類の動画撮影モードを有している。そして、この電子カメラでは、これらの動作撮影モードの切り替えをモード選択操作部の操作によって簡易に実行することが可能となっている。
【先行技術文献】
【特許文献】
【０００４】
【特許文献１】特開２００７−２１５０８６号公報
【発明の概要】
【発明が解決しようとする課題】
【０００５】
ところで、動画を撮影可能な電子カメラにおいては、動画の撮影時におけるユーザの要求に柔軟に対応するために、選択された動画撮影モードにおける動画の撮影条件を詳細に設定することが可能となっている。
【０００６】
例えば、動画の撮影条件を設定する場合には、撮影条件を設定する度に、当該撮影条件を設定するための設定画面が表示画面の全体に表示される。そして、各々の撮影条件の設定が完了する毎に、次なる撮影条件を設定するための設定画面が表示画面に順次表示される。すなわち、各々の撮影条件を設定する度に、表示画面に表示される設定画面が順次切り替わるようになっている。
【０００７】
したがって、撮影モードに多くの撮影条件が含まれる場合、ユーザは、これらの撮影条件のうち何れの撮影条件が設定済みであるかを把握しなければならず、ユーザに多大な知的作業を要するという問題があった。
【０００８】
本発明は、このような事情に鑑みてなされたものであり、その目的は、ユーザが、画像の撮影モードに含まれる複数の撮影条件について、設定が完了する前の撮影条件であるか、或いは、設定が完了した後の撮影条件であるかを容易に識別することができる表示制御装置、電子カメラ、表示制御方法、及び表示制御プログラムを提供することにある。
【課題を解決するための手段】
【０００９】
上記目的を達成するために、本発明の表示制御装置は、撮像手段が撮像する撮像画像を表示可能な表示手段と、前記撮像画像について設定される複数の撮影条件を設定する設定手段と、前記複数の撮影条件のうち、前記設定手段による設定が完了する前の撮影条件と、前記設定手段による設定が完了した後の撮影条件とを識別可能な識別画像を前記表示手段に表示させる制御手段とを備えたことを特徴とする。
【００１０】
また、本発明の表示制御装置において、前記制御手段は、前記設定手段による設定が完了する前の撮影条件のうち、前記設定手段による設定が開始される前の撮影条件と、前記設定手段による設定が開始された後の撮影条件とを識別可能となるように、前記識別画像を前記表示手段に表示させることを特徴とする。
【００１１】
また、本発明の表示制御装置において、前記識別画像は、前記複数の撮影条件に個別に対応する複数のマークを含んで構成され、前記制御手段は、前記設定手段による前記撮影条件の設定が完了した場合に、当該撮影条件に対応する前記マークの表示を変更することを特徴とする。
【００１２】
また、本発明の表示制御装置において、前記制御手段は、前記設定手段による前記撮影条件の設定が開始された場合に、当該撮影条件に対応する前記マークの表示を変更することを特徴とする。
【００１３】
また、本発明の表示制御装置において、前記撮像画像は動画であって、前記複数の撮影条件は、前記動画の撮影方法を変更させる変更開始点を少なくとも一つ含んで構成され、前記制御手段は、前記動画の撮影時に前記表示手段に前記識別画像を表示させると共に、前記動画の撮影が前記変更開始点を経過した場合には、前記動画の撮影が前記変更開始点を経過する前と比較して、前記変更開始点に対応する前記マークの表示を変更することを特徴とする。
【００１４】
また、本発明の表示制御装置において、前記制御手段は、前記設定手段による前記撮影条件の設定内容に応じて、前記識別画像の表示を変更することを特徴とする。
また、本発明の表示制御装置において、前記制御手段は、前記設定手段による前記撮影条件の設定内容に応じて、当該撮影条件に対応する前記マークの表示を変更することを特徴とする。
【００１５】
また、本発明の表示制御装置において、前記制御手段は、前記設定手段による前記撮影条件の設定が完了したかを識別可能な補助識別画像を前記表示手段に表示させることを特徴とする。
【００１６】
また、本発明の電子カメラは、撮像画像を撮像する撮像手段と、前記撮像手段によって撮像された前記撮像画像を表示手段に表示させる上記構成の表示制御装置とを備えたことを特徴とする。
【００１７】
また、本発明の表示制御方法は、撮像手段が撮像した撮像画像を表示手段の画面上に表示する際に、前記撮像画像について設定される複数の撮影条件を設定した後、前記複数の撮影条件のうち、設定が完了する前の撮影条件と、設定が完了した後の撮影条件とを識別可能な識別画像を前記表示手段に表示させるようにしたことを特徴とする。
【００１８】
また、本発明の表示制御プログラムは、撮像手段が撮像した撮像画像を表示手段の画面上に表示させる表示制御装置に用いられる表示制御プログラムにおいて、前記表示制御装置を、撮像手段が撮像する撮像画像を表示可能な表示手段、前記撮像画像について設定される複数の撮影条件を設定する設定手段、及び、前記複数の撮影条件のうち、前記設定手段による設定が完了する前の撮影条件と、前記設定手段による設定が完了した後の撮影条件とを識別可能な識別画像を前記表示手段に表示させる制御手段として機能させることを特徴とする。
【発明の効果】
【００１９】
本発明によれば、ユーザは、画像の撮影モードに含まれる複数の撮影条件について、設定が完了する前の設定項目であるか、或いは、設定が完了した後の設定項目であるかを容易に識別することができる。
【図面の簡単な説明】
【００２０】
【図１】デジタルカメラの背面図。
【図２】デジタルカメラの内部構成を示すブロック図。
【図３】動画撮影メニューの表示内容を示す説明図。
【図４】動画撮影設定処理ルーチンを示すフローチャート。
【図５】フォーカス移動の開始時間の設定画面が表示されたモニタの画面の表示内容を示す説明図。
【図６】フォーカスの移動時間の設定画面が表示されたモニタの画面の表示内容を示す説明図。
【図７】フォーカスの移動カーブの設定画面が表示されたモニタの画面の表示内容を示す説明図。
【図８】目標フォーカスポイントの設定画面が表示されたモニタの画面の表示内容を示す説明図。
【図９】目標フォーカスポイントの設定処理が完了した際のモニタの画面の表示内容を示す説明図。
【図１０】開始フォーカスポイントの設定画面が表示されたモニタの画面の表示内容を示す説明図。
【図１１】開始フォーカスポイントの設定処理が完了した際のモニタの画面の表示内容を示す説明図。
【図１２】フォーカス移動を実行する前のモニタの画面の表示内容を示す説明図。
【図１３】フォーカス移動を実行している際のモニタの画面の表示内容を示す説明図。
【図１４】フォーカス移動を実行した後のモニタの画面の表示内容を示す説明図。
【図１５】（ａ）は動画撮影モードの選択がされた直後における撮影条件設定バーを示す説明図、（ｂ）は静止画の撮影時間の設定時における撮影条件設定バーを示す説明図、（ｃ）は静止画の撮影時間の設定後における撮影条件設定バーを示す説明図。
【図１６】（ａ）は動画撮影モードの選択がされた直後における撮影条件設定バーを示す説明図、（ｂ）はズーム／フォーカスの移動速度の設定時における撮影条件設定バーを示す説明図、（ｃ）はズーム／フォーカスの移動カーブの設定時における撮影条件設定バーを示す説明図、（ｄ）はズーム／フォーカスの目標位置の設定時における撮影条件設定バーを示す説明図、（ｅ）はズーム／フォーカスの開始位置の設定時における撮影条件設定バーを示す説明図、（ｆ）はズーム／フォーカスの開始位置の設定後における撮影条件設定バーを示す説明図。
【図１７】（ａ）は動画撮影モードの選択がされた直後における撮影条件設定バーを示す説明図、（ｂ）は動画の録画時間の設定時における撮影条件設定バーを示す説明図、（ｃ）は動画の撮影を中断する時間及び動画の撮影を中断する回数の設定時における撮影条件設定バーを示す説明図、（ｄ）は動画の撮影を中断する時間及び動画の撮影を中断する回数の設定後における撮影条件設定バーを示す説明図。
【図１８】（ａ）は動画撮影モードの選択がされた直後における撮影条件設定バーを示す説明図、（ｂ）は被写体のフェードイン時間の設定時における撮影条件設定バーを示す説明図、（ｃ）は被写体の録画時間の設定時における撮影条件設定バーを示す説明図、（ｄ）は被写体のフェードアウト時間の設定時における撮影条件設定バーを示す説明図、（ｅ）は被写体のフェードアウト時間の設定後における撮影条件設定バーを示す説明図。
【図１９】（ａ）は動画撮影モードの選択がされた直後における撮影条件設定バーを示す説明図、（ｂ）は高速の撮影速度による動画の撮影時間の設定時における撮影条件設定バーを示す説明図、（ｃ）は高速撮影による動画の撮影速度の設定時における撮影条件設定バーを示す説明図、（ｄ）は高速撮影による動画の撮影速度の設定後における撮影条件設定バーを示す説明図。
【発明を実施するための形態】
【００２１】
以下、本発明を電子カメラの一種であるデジタルスチルカメラ（以下、「カメラ」という。）、そのカメラにおける表示制御方法、及びそのカメラが備える表示制御装置並びにその表示制御装置に用いられる表示制御プログラムに具体化した一実施形態を図１〜図１９に基づいて説明する。
【００２２】
図１に示すように、本実施形態のカメラ１１は略直方体形状をなすカメラ本体１２を有している。カメラ本体１２の上面右端部寄り部分には、このカメラ１１で被写体像を撮像する際に撮像者により押し下げ操作されるレリーズボタン１３が設けられている。また、カメラ本体１２の上面においてレリーズボタン１３の左側には、カメラ１１を電源オン状態とする際に撮像者により押し下げ操作される電源ボタン１４が設けられている。
【００２３】
また、カメラ本体１２の後面側には、表示手段としての液晶表示モニタ（以下、「モニタ」と略す。）１５における矩形状の画面１５ａがカメラ本体１２の後面側における右端側寄り部分を除く略全域に亘るように設けられている。そして、このモニタ１５の画面１５ａよりも右側の領域には撮像者により操作される複数種類のボタンが設けられている。
【００２４】
まず、モニタ１５の画面１５ａよりも右側の領域において上方寄りの位置には、ズームボタン１７が設けられ、ズームボタン１７よりも下方となる位置には、モードボタン１８、切り替えボタン１９、セレクトボタン２０、決定ボタン２１、再生ボタン２２、及び、削除ボタン２３が設けられている。
【００２５】
ズームボタン１７は、主として被写体を広角又は望遠で撮像するときに押圧操作される。また、モードボタン１８は、カメラ１１のモード（撮像モードや再生表示モード等）を選択する際に使用するモード選択画面をモニタ１５の画面１５ａ上に表示させる場合に押圧操作される。また、切り替えボタン１９は、主としてカメラ１１のモード状態を撮像モードと再生表示モードとの間で切り替える場合に押圧操作される。
【００２６】
また、セレクトボタン２０は、モニタ１５の画面１５ａ上に複数のメニュー項目が表示されている場合にカーソル３４（図３参照）を移動させて所望する項目を指定するときに押圧操作される。また、決定ボタン２１は、モニタ１５の画面１５ａ上でカーソル３４により指定されている項目を決定するときに押圧操作される。また、再生ボタン２２は、カメラ１１によって撮像された静止画や動画をモニタ１５の画面１５ａ上に再生して表示するときに押圧操作される。また、削除ボタン２３は、モニタ１５の画面１５ａ上に表示されている撮像画像を削除するときに押圧操作される。
【００２７】
次に、カメラ１１の内部構成を図２に示すブロック図に基づき説明する。
図２に示すように、カメラ１１は、ズームレンズなどの複数のレンズからなるレンズ部２４（図２では図面の簡略化のため１つのレンズのみ図示）と、レンズ部２４を通過した被写体光をレンズ部２４の像空間側において結像させる撮像素子２５をカメラ本体１２内に有している。撮像素子２５の出力側には、ＡＦＥ（An alog Front End）２６と画像処理回路２７が直列に接続されている。そして、ＭＰＵ（Micro Processing Unit）２８に対して画像処理回路２７がデータバス２９を介して接続されている。
【００２８】
また、ＭＰＵ２８には、カメラ１１の制御プログラムを記憶した不揮発性メモリ３０、バッファメモリとして機能するＲＡＭ３１、モニタ１５、及び記録媒体であるメモリカード３２を挿脱可能なカードＩ／Ｆ（Inter-Face）３３がデータバス２９を介して接続されている。そして、ＭＰＵ２８は、不揮発性メモリ３０に記憶された表示制御プログラムを含む各種のプログラムに基づきカメラ１１における各種の処理動作（例えば画像処理回路１５での画像処理等）を統括的に制御する。また、データバス２９は、そうしたＭＰＵ２８の制御に伴う各種データの伝送路として機能する。さらに、ＭＰＵ２８には、各種のボタン１３，１４，１７〜２３がデータ通信可能に接続されている。
【００２９】
撮像素子２５は、ＣＭＯＳ（Complementary Metal Oxide Semiconductor）イメージセンサ、又はＣＣＤ（Charge Coupled Device）イメージセンサからなり、その入射側となる撮像面には多数の受光素子（図示略）が二次元的に配列されると共に、その表面側にはＲ（赤），Ｇ（緑），Ｂ（青）の原色フィルタ（図示略）が規則的に配列されている。そして、撮像素子２５は、その撮像面に結像した被写体像に対応した信号電荷を蓄積し、その蓄積した信号電荷を画像データの元となる画素信号と呼ばれるアナログ信号でＡＦＥ２６に出力する。
【００３０】
ＡＦＥ２６は、撮像モードにおいて、撮像素子２５から入力したアナログ信号の画素信号を所定のタイミングでサンプリング（相関二重サンプリング）し、例えばＩＳＯ感度に基づく所定信号レベルとなるように増幅する信号処理部（図示略）と、その増幅後の画素信号をデジタル信号に変換するＡ／Ｄ変換部（図示略）を有している。そして、ＡＦＥ２６は、アナログ信号の画素信号をＡ／Ｄ変換部でデジタル化することにより生成した画像データを画像処理回路２７に出力する。
【００３１】
画像処理回路２７は、ＡＦＥ２６から入力したＲＡＷデータの画像データに対して、色補間処理、階調補正、ホワイトバランス（ＷＢ）補正処理及び輪郭補償等の各種の表示用画像処理を施し、画像として見られるデータ内容にする。そして、そのように表示用画像処理を施した画像データを、画像処理回路２７は、ＭＰＵ２８の制御に従いＲＡＭ３１に一旦記憶させると共に、モニタ１５にスルー画像として表示させる。また、レリーズボタン１３が全押し操作された場合は、同じくＭＰＵ２８の制御に従い、そのときの画像データと対応する画像をモニタ１５に確認用画像として表示させる一方、例えばＪＰＥＧ圧縮のためのフォーマット処理等の所定の画像処理を施した後に、記憶手段となるメモリカード３２に画像ファイルとして記憶させる。
【００３２】
次に、本実施形態のカメラ１１のＭＰＵ２８が実行する動画撮影設定処理ルーチンの概要を説明する。
さて、ＭＰＵ２８は、カメラ１１が電源ＯＮ状態である場合において、モードボタン１８が押圧操作されると、図３に示すように、モニタ１５の画面１５ａ上に６つの動画撮影モードを選択可能な項目（図３では、シナリオ動画撮影モードＡ，Ｂ，Ｃ，Ｄ，Ｅ，Ｆ）を表示させる。そして、ＭＰＵ２８は、セレクトボタン２０が押圧操作されると、カーソル３４を移動させることにより、これらの動画撮影モードの中から一つの動画撮影モード（図３ではシナリオ動画撮影モードＢ）をユーザに選択させる。
【００３３】
また、ＭＰＵ２８は、この状態で決定ボタン２１が押圧操作されると、図４に示すように、動画撮影モードＢにおける撮影条件の設定処理ルーチンを開始する。なお、本実施形態では、シナリオ動画撮影モードＢは、モニタ１５の画面１５ａ内の異なる領域（例えば、近接した被写体から離間した被写体）にフォーカス位置を切り換えながら動画を撮影するフォーカス移動モードとなっている。
【００３４】
そして、フォーカス移動モードにおける撮影条件の設定処理ルーチンが開始すると、まず、ステップＳ１０において、ＭＰＵ２８は、フォーカス移動の開始時間の設定処理を実行する。具体的には、図５に示すように、ＭＰＵ２８は、フォーカス移動の開始時間の設定画面３５を表示するための画像情報を不揮発性メモリ３０から読み出し、モニタ１５の画面１５ａ上にフォーカス移動の開始時間の設定画面３５を表示させる。なお、設定画面３５には、「録画開始から何秒後にフォーカス移動を開始するか設定してください（秒）。」というメッセージと共に、フォーカス移動の開始タイミングを示すウィンドウ３６が表示される。そして、ＭＰＵ２８は、この状態でセレクトボタン２０が押圧操作されると、ウィンドウ３６内に表示される数値を変更させる。
【００３５】
また同時に、ＭＰＵ２８は、フォーカス移動モードにおける撮影条件の設定状態を示す撮影条件設定バー３７を表示するための画像情報を不揮発性メモリ３０から読み出すと共に、モニタ１５の画面１５ａの右上隅部に撮影条件設定バー３７を表示させる。この撮影条件設定バー３７は、開始タイミング設定マーク３８、終了タイミング設定マーク３９、移動カーブ設定マーク４０、開始ポイント設定マーク４１、及び、目標ポイント設定マーク４２から構成されている。
【００３６】
開始タイミング設定マーク３８は、撮影条件設定バー３７における左方寄り部分に、縦方向に延びる棒状をなすように表示される。また、終了タイミング設定マーク３９は、開始タイミング設定マーク３８よりも右方となる位置に、縦方向に延びる棒状をなすように表示される。また、移動カーブ設定マーク４０は、開始タイミング設定マーク３８と終了タイミング設定マーク３９との間となる位置に、開始タイミング設定マーク３８を起点として終了タイミング設定マーク３９に向けて右方に延びるブロック矢印をなすように表示される。また、開始ポイント設定マーク４１は、開始タイミング設定マーク３８の上方となる位置に、三角形状をなすように表示される。また、目標ポイント設定マーク４２は、終了タイミング設定マーク３９の上方となる位置に、三角形状をなすように表示される。
【００３７】
ここで、ステップＳ１０においては、開始タイミング設定マーク３８はモニタ１５の画面１５ａ上に黄色で表示されるのに対して、撮影条件設定バー３７を構成するその他のマーク３９〜４２はモニタ１５の画面１５ａ上に白色で表示される。すなわち、ＭＰＵ２８は、この開始タイミング設定マーク３８によって表されるフォーカス移動の開始タイミングがステップＳ１０において設定中である旨を視覚的に識別可能となるように、撮影条件設定バー３７における開始タイミング設定マーク３８の表示を制御している。
【００３８】
なお、ＭＰＵ２８は、フォーカス移動の開始タイミングが設定されると、動画撮影を開始する時点からフォーカス移動を開始するまでの時間（本実施形態では３秒）と、カメラ１１による動画の総撮影時間（本実施形態では１５秒）との比率に応じて、撮影条件設定バー３７における開始タイミング設定マーク３８の左右方向の表示位置を変更させる。すなわち、本実施形態では、ＭＰＵ２８は、撮影条件設定バー３７の左端部から撮影条件設定バー３７の左右方向の寸法の１／５に相当する距離だけ離間した位置に開始タイミング設定マーク３８を表示させる。すなわち、ＭＰＵ２８は、ステップＳ１０において設定されるフォーカス移動の開始タイミングを視覚的に識別可能となるように、撮影条件設定バー３７における開始タイミング設定マーク３８の表示を制御している。
【００３９】
さらに、ＭＰＵ２８は、フォーカス移動モードにおける撮影条件の設定段階を示す設定段階表示マーク４３を表示するための画像情報を不揮発性メモリ３０から読み出すと共に、モニタ１５の画面１５ａの左上隅部に設定段階表示マーク４３を表示させる。この設定段階表示マーク４３は、複数の円形状をなすアイコン４４によって構成されており、これらのアイコン４４は撮影条件の各設定段階にそれぞれ対応している。なお、フォーカス移動モードにおける撮影条件は５つの設定段階から構成されているため、本実施形態では、設定段階表示マーク４３は５つのアイコン４４によって構成されている。
【００４０】
ここで、ステップＳ１０においては、設定段階表示マーク４３を構成する５つのアイコン４４のうち、最も左方に位置するアイコン４４はモニタ１５の画面１５ａ上に赤色で表示されるのに対して、その他のアイコン４４はモニタ１５の画面１５ａ上に白色で表示される。すなわち、ＭＰＵ２８は、フォーカス移動モードにおける撮影条件の最初の設定段階である旨を視覚的に識別可能となるように、設定段階表示マーク４３における５つのアイコン４４の表示を制御している。
【００４１】
そして、ＭＰＵ２８は、設定画面３５におけるウィンドウ３６の数値がセレクトボタン２０の押圧操作によって選択された後に、決定ボタン２１が押圧操作されることにより、フォーカス移動の開始タイミングの設定処理を完了すると共に、本処理をステップＳ１１に移行する。
【００４２】
続いて、ステップＳ１１において、ＭＰＵ２８は、フォーカスの移動時間の設定処理を実行する。具体的には、図６に示すように、ＭＰＵ２８は、フォーカスの移動時間の設定画面４５を表示するための画像情報を不揮発性メモリ３０から読み出し、モニタ１５の画面１５ａ上にフォーカスの移動時間の設定画面４５を表示させる。なお、設定画面４５には、「フォーカスの移動時間を設定してください（秒）。」というメッセージと共に、フォーカスの移動時間を示すウィンドウ４６が表示される。そして、ＭＰＵ２８は、この状態でセレクトボタン２０が押圧操作されると、ウィンドウ４６内に表示される数値を変更させる。
【００４３】
また同時に、ＭＰＵ２８は、撮影条件設定バー３７の表示データを更新する。具体的には、ＭＰＵ２８は、撮影条件設定バー３７を構成する各マーク３８〜４２のうち、ステップＳ１０において設定が完了したフォーカス移動の開始タイミングを表す開始タイミング設定マーク３８をモニタ１５の画面１５ａ上に緑色で表示させる。すなわち、ＭＰＵ２８は、この開始タイミング設定マーク３８によって表されるフォーカス移動の開始タイミングがステップＳ１１において既に設定済みである旨を視覚的に識別可能となるように、撮影条件設定バー３７における開始タイミング設定マーク３８の表示を制御している。
【００４４】
また同時に、ＭＰＵ２８は、撮影条件設定バー３７を構成する各マーク３８〜４２のうち、ステップＳ１１において設定されているフォーカスの移動時間を表す終了タイミング設定マーク３９をモニタ１５の画面１５ａ上に黄色で表示させる。すなわち、ＭＰＵ２８は、この終了タイミング設定マーク３９によって表されるフォーカスの移動時間がステップＳ１１において設定中である旨を視覚的に識別可能となるように、撮影条件設定バー３７における終了タイミング設定マーク３９の表示を制御している。
【００４５】
なお、ＭＰＵ２８は、フォーカスの移動時間が設定されると、フォーカス移動を開始する時点からフォーカス移動を終了するまでの時間（本実施形態では９秒）と、カメラ１１による動画の総撮影時間（本実施形態では１５秒）との比率に応じて、撮影条件設定バー３７における終了タイミング設定マーク３９の左右方向の表示位置を変更させる。すなわち、本実施形態では、ＭＰＵ２８は、開始タイミング設定マーク３８から撮影条件設定バー３７の左右方向の寸法の３／５に相当する距離だけ離間した位置に終了タイミング設定マーク３９を表示させる。すなわち、ＭＰＵ２８は、ステップＳ１１において設定されるフォーカスの移動時間を視覚的に識別可能となるように、撮影条件設定バー３７における終了タイミング設定マーク３９の表示を制御している。
【００４６】
さらに、ＭＰＵ２８は、設定段階表示マーク４３の表示データを更新する。具体的には、設定段階表示マーク４３を構成する５つのアイコン４４のうち、左から二番目に位置するアイコン４４はモニタ１５の画面１５ａ上に赤色で表示されるのに対して、その他のアイコン４４はモニタ１５の画面１５ａ上に白色で表示される。すなわち、ＭＰＵ２８は、ステップＳ１１におけるフォーカスの移動時間の設定段階が、フォーカス移動モードにおける撮影条件の二番目の設定段階である旨を視覚的に識別可能となるように、設定段階表示マーク４３における５つのアイコン４４の表示を制御している。
【００４７】
そして、ＭＰＵ２８は、設定画面４５におけるウィンドウ４６の数値がセレクトボタン２０の押圧操作によって選択された後に、決定ボタン２１が押圧操作されることにより、フォーカスの移動時間の設定処理を完了すると共に、本処理をステップＳ１２に移行する。
【００４８】
続いて、ステップＳ１２において、ＭＰＵ２８は、フォーカスの移動カーブの設定処理を実行する。具体的には、図７に示すように、ＭＰＵ２８は、フォーカスの移動カーブを設定するための設定画面４７を表示するための画像情報を不揮発性メモリ３０から読み出し、モニタ１５の画面１５ａ上にフォーカスの移動カーブの設定画面４７を表示させる。なお、設定画面４７には、「フォーカスの移動カーブを設定してください。」というメッセージと共に、フォーカスの移動カーブを示すグラフ４８が表示される。このグラフ４８は、横軸がフォーカスの移動時間を示すと共に、縦軸がフォーカスの移動量を示しており、直線状のグラフ４８やＳ字曲線状のグラフ４８を含む複数の種類のグラフ４８が不揮発性メモリ３０に記憶されている。そして、ＭＰＵ２８は、この状態でセレクトボタン２０が押圧操作されると、不揮発性メモリ３０から読み出して設定画面４７に表示させるグラフ４８の種類を順次切り替えるようになっている。
【００４９】
また同時に、ＭＰＵ２８は、撮影条件設定バー３７の表示データを更新する。具体的には、ＭＰＵ２８は、撮影条件設定バー３７を構成する各マーク３８〜４２のうち、ステップＳ１１において設定が完了したフォーカスの移動時間を表す終了タイミング設定マーク３９をモニタ１５の画面１５ａ上に緑色で表示させる。また、ＭＰＵ２８は、撮影条件設定バー３７を構成する各マーク３８〜４２のうち、ステップＳ１２において設定されているフォーカスの移動カーブを表す移動カーブ設定マーク４０をモニタ１５の画面１５ａ上に黄色で表示させる。
【００５０】
さらに、ＭＰＵ２８は、設定段階表示マーク４３の表示データを更新する。具体的には、ＭＰＵ２８は、設定段階表示マーク４３を構成する５つのアイコン４４のうち、左から三番目に位置するアイコン４４をモニタ１５の画面１５ａ上に赤色で表示させるのに対して、その他のアイコン４４をモニタ１５の画面１５ａ上に白色で表示させる。
【００５１】
そして、ＭＰＵ２８は、設定画面４７におけるグラフ４８の種類がセレクトボタン２０の押圧操作によって選択された後に、決定ボタン２１が押圧操作されることにより、フォーカスの移動カーブの設定処理を完了すると共に、本処理をステップＳ１３に移行する。
【００５２】
続いて、ステップＳ１３において、ＭＰＵ２８は、目標フォーカスポイントの設定処理を実行する。この目標フォーカスポイントは、フォーカス移動モードによる動画の撮影時において、動画の撮影を開始する前にモニタ１５の画面１５ａ上に表示されているスルー画像の中からフォーカス移動後にフォーカスを合焦させる領域として設定される。そして、図８に示すように、ＭＰＵ２８は、目標フォーカスポイントを設定するための設定画面を表示するための画像情報を不揮発性メモリ３０から読み出し、モニタ１５の画面１５ａ上に目標フォーカスポイントの設定画面を表示させる。なお、設定画面には、「フォーカスポイントを目標位置に移動してください。」というメッセージ４９と共に、目標フォーカスポイントを指定するための指定枠（図８では破線で示す）５０、及び、目標フォーカスポイントに指定枠５０を移動させた後に決定ボタン２１または削除ボタン２３を押圧する旨をユーザに促すメッセージ５１が表示される。
【００５３】
また同時に、ＭＰＵ２８は、撮影条件設定バー３７の表示データを更新する。具体的には、ＭＰＵ２８は、撮影条件設定バー３７を構成する各マーク３８〜４２のうち、ステップＳ１２において設定が完了したフォーカスの移動カーブを表す移動カーブ設定マーク４０をモニタ１５の画面１５ａ上に緑色で表示させる。また、ＭＰＵ２８は、撮影条件設定バー３７を構成する各マーク３８〜４２のうち、ステップＳ１３において設定されている目標フォーカスポイントを表す目標ポイント設定マーク４２をモニタ１５の画面１５ａ上に黄色で表示させる。
【００５４】
さらに、ＭＰＵ２８は、設定段階表示マーク４３の表示データを更新する。具体的には、ＭＰＵ２８は、設定段階表示マーク４３を構成する５つのアイコン４４のうち、左から四番目に位置するアイコン４４をモニタ１５の画面１５ａ上に赤色で表示させるのに対して、その他のアイコン４４をモニタ１５の画面１５ａ上に白色で表示させる。
【００５５】
そして、ＭＰＵ２８は、セレクトボタン２０が押圧操作されると、モニタ１５の画面１５ａ上に表示されているスルー画像上において指定枠５０を上下左右に移動させる。また、ＭＰＵ２８は、セレクトボタン２０の押圧操作によって指定枠５０の位置を移動させた後に決定ボタン２１が押圧操作されると、この時点で指定枠５０によって指定されているスルー画像上の領域（図８では帽子を着用した少女）を目標フォーカスポイントとして不揮発性メモリ３０に記憶させる。
【００５６】
また同時に、図９に示すように、ＭＰＵ２８は、目標フォーカスポイントの設定が完了した旨をユーザに報知するメッセージを表示するための画像情報を不揮発性メモリ３０から読み出し、このメッセージをモニタ１５の画面１５ａ上に表示させる。なお、この場合、モニタ１５の画面１５ａ上には、「フォーカス目標位置を記憶しました。」というメッセージ５２が表示される。
【００５７】
続いて、ステップＳ１４において、ＭＰＵ２８は、開始フォーカスポイントの設定処理を実行する。この開始フォーカスポイントは、フォーカス移動による動画の撮影時において、動画の撮影を開始する前にモニタ１５の画面１５ａ上に表示されているスルー画像の中からフォーカス移動前にフォーカスを合焦させる領域として設定される。そして、図１０に示すように、ＭＰＵ２８は、開始フォーカスポイントを設定するための設定画面を表示するための画像情報を不揮発性メモリ３０から読み出し、モニタ１５の画面１５ａ上に開始フォーカスポイントの設定画面を表示させる。なお、設定画面には、「フォーカスポイントを開始位置に移動してください。」というメッセージ５３と共に、開始フォーカスポイントを指定するための指定枠（図１０では破線で示す）５４、及び、開始フォーカスポイントに指定枠５４を移動させた後に決定ボタン２１または削除ボタン２３を押圧する旨をユーザに促すメッセージ５５が表示される。
【００５８】
また同時に、ＭＰＵ２８は、撮影条件設定バー３７の表示データを更新する。具体的には、ＭＰＵ２８は、撮影条件設定バー３７を構成する各マーク３８〜４２のうち、ステップＳ１３において設定が完了した目標フォーカスポイントを表す目標ポイント設定マーク４２をモニタ１５の画面１５ａ上に緑色で表示させる。また、ＭＰＵ２８は、撮影条件設定バー３７を構成する各マーク３８〜４２のうち、ステップＳ１４において設定されている開始フォーカスポイントを表す開始ポイント設定マーク４１をモニタ１５の画面１５ａ上に黄色で表示させる。
【００５９】
さらに、ＭＰＵ２８は、設定段階表示マーク４３の表示データを更新する。具体的には、ＭＰＵ２８は、設定段階表示マーク４３を構成する５つのアイコン４４のうち、最も右方に位置するアイコン４４をモニタ１５の画面１５ａ上に赤色で表示させるのに対して、その他のアイコン４４をモニタ１５の画面１５ａ上に白色で表示させる。
【００６０】
そして、ＭＰＵ２８は、セレクトボタン２０が押圧操作されると、モニタ１５の画面１５ａ上に表示されているスルー画像上において指定枠５４を上下左右に移動させる。また、ＭＰＵ２８は、セレクトボタン２０の押圧操作によって指定枠５４の位置を移動させた後に決定ボタン２１が押圧操作されると、この時点で指定枠５４によって指定されているスルー画像上の領域（図１０では花畑）を開始フォーカスポイントとして不揮発性メモリ３０に記憶させる。
【００６１】
また同時に、ＭＰＵ２８は、撮影条件設定バー３７の表示データを更新する。具体的には、ＭＰＵ２８は、撮影条件設定バー３７を構成する各マーク３８〜４２のうち、ステップＳ１４において設定が完了した開始フォーカスポイントを表す開始ポイント設定マーク４１をモニタ１５の画面１５ａ上に緑色で表示させる。
【００６２】
さらに、図１１に示すように、ＭＰＵ２８は、開始フォーカスポイントの設定が完了した旨をユーザに報知するメッセージ５６を表示するための画像情報を不揮発性メモリ３０から読み出し、このメッセージ５６をモニタ１５の画面１５ａ上に表示させる。なお、この場合、モニタ１５の画面１５ａ上には、「フォーカス開始位置を記憶しました。」というメッセージ５６が表示される。
【００６３】
次に、上記のようにして設定されたフォーカス移動モードにおける撮影条件に基づき、本実施形態のカメラ１１のＭＰＵ２８が実行する動画撮影処理ルーチンの概要を説明する。
【００６４】
さて、ＭＰＵ２８は、フォーカス移動モードにおける動画の撮影条件の設定処理が完了した状態において、レリーズボタン１３が押圧操作されると、開始フォーカスポイントにフォーカス位置を合焦させた状態で、フォーカス移動モードによる動画の撮影を開始させる。
【００６５】
すると、ＭＰＵ２８は、設定段階表示マーク４３をモニタ１５の画面１５ａ上から消去させると共に、撮影条件設定バー３７を構成する各マーク３８〜４２のうち、移動カーブ設定マーク４０をモニタ１５の画面１５ａ上から消去させる。この場合、動画の撮影が開始された直後においては、ＭＰＵ２８は、撮影条件設定バー３７を構成する他の全てのマーク３８〜４２については、動画の撮影条件の設定時における表示を維持した状態でモニタ１５の画面１５ａ上に表示させる。そして、本実施形態では、動画の撮影時に表示される撮影条件設定バー３７は、動画撮影の進捗度合いを示す動画表示バーとして機能する。
【００６６】
そして、図１２に示すように、動画の撮影条件の設定時に設定されたフォーカス移動タイミング（動画の撮影を開始してから３秒後）を経過する前時点では、ＭＰＵ２８は、開始フォーカスポイント（指定枠５４内の花畑）にフォーカス位置を合焦させた状態を維持させる。このとき、ＭＰＵ２８は、動画撮影の進捗度合いに応じて、白色の進捗表示部５７を開始タイミング設定マーク３８の表示位置の手前まで左から右に進行させる。
【００６７】
続いて、図１３に示すように、フォーカス移動タイミングを経過した時点で、ＭＰＵ２８は、レンズ部２４を駆動させることにより、開始フォーカスポイントから目標フォーカスポイントへ（指定枠５４内の花畑から指定枠５０内の少女へ）フォーカス位置を移動させる。なお、この時点では、開始タイミング設定マーク３８が表すフォーカス移動タイミングは既に経過している。そのため、ＭＰＵ２８は、白色の進捗表示部５７を開始タイミング設定マーク３８の表示位置を通過させた後に終了タイミング設定マーク３９の表示位置の手前まで左から右に進行させる。
【００６８】
また同時に、ＭＰＵ２８は、進捗表示部５７が重畳して表示された開始タイミング設定マーク３８及び開始ポイント設定マーク４１の色表示を緑色から黄色に変化させる。すなわち、ＭＰＵ２８は、動画の撮影がフォーカス移動を実行中である旨を視覚的に識別可能とするように、撮影条件設定バー３７における開始タイミング設定マーク３８及び開始ポイント設定マーク４１の表示を制御する。
【００６９】
さらに、図１４に示すように、動画の撮影条件の設定時に設定されたフォーカスの移動時間（フォーカス移動を開始してから９秒後）を経過した時点で、ＭＰＵ２８は、レンズ部２４の駆動を停止させることにより、目標フォーカスポイント（指定枠５０内の少女）にフォーカス位置を合焦させた状態を維持させる。なお、この時点では、終了タイミング設定マーク３９が表すフォーカスの移動時間は既に経過している。そのため、ＭＰＵ２８は、進捗表示部５７を終了タイミング設定マーク３９の表示位置を通過させる位置まで左から右に進行させる。
【００７０】
また同時に、ＭＰＵ２８は、進捗表示部５７が重畳して表示された終了タイミング設定マーク３９及び目標ポイント設定マーク４２の色表示を緑色から黄色に変化させる。すなわち、ＭＰＵ２８は、動画の撮影がフォーカス移動を完了した時点まで進行している旨を視覚的に識別可能となるように、撮影条件設定バー３７における終了タイミング設定マーク３９の表示を制御する。
【００７１】
ところで、本実施形態のカメラ１１において設定可能な６つの動画撮影モードのうち、他の動画撮影モードとして、静止している画像が動き出すように表示する動画を撮影する動画撮影モードが選択されたとする。
【００７２】
この場合、ＭＰＵ２８は、図１５（ａ）に示す撮影条件設定バー５８をモニタ１５の画面１５ａ上に表示させる。この撮影条件設定バー５８は、撮影時間設定マーク５９を含んで構成されている。なお、動画撮影モードの選択がされた直後における初期画面では、この撮影時間設定マーク５９はモニタ１５の画面１５ａ上に白色で表示されている。
【００７３】
そして、図１５（ｂ）に示すように、ＭＰＵ２８は、動画の撮影条件の設定が開始されると共に、静止画の撮影時間の設定処理が開始されると、撮影時間設定マーク５９をモニタ１５の画面１５ａ上に黄色で表示させる。さらに、図１５（ｃ）に示すように、ＭＰＵ２８は、静止画の撮影時間の設定処理が完了すると、この撮影時間設定マーク５９をモニタ１５の画面１５ａ上に緑色で表示させる。
【００７４】
また、本実施形態のカメラ１１において設定可能な６つの動画撮影モードのうち、他の動画撮影モードとして、フォーカス状態とズーム状態とが連続的に変化しながら再生される動画を撮影する動画撮影モードが選択されたとする。
【００７５】
この場合、ＭＰＵ２８は、図１６（ａ）に示す撮影条件設定バー６０をモニタ１５の画面１５ａ上に表示させる。この撮影条件設定バー６０は、移動速度設定マーク６１、移動カーブ設定マーク６２、目標ポイント設定マーク６３、及び、開始ポイント設定マーク６４を含んで構成されている。なお、動画撮影モードの選択がされた直後における初期画面では、これらのマーク６１〜６４はモニタ１５の画面１５ａ上に白色で表示されている。
【００７６】
そして、図１６（ｂ）に示すように、ＭＰＵ２８は、動画の撮影条件の設定が開始されると共に、ズーム／フォーカスの移動速度の設定処理が開始されると、移動速度設定マーク６１をモニタ１５の画面１５ａ上に黄色で表示させる。
【００７７】
続いて、図１６（ｃ）に示すように、ＭＰＵ２８は、ズーム／フォーカスの移動速度の設定処理が完了すると、移動速度設定マーク６１をモニタ１５の画面１５ａ上に緑色で表示させる。また同時に、ＭＰＵ２８は、ズーム／フォーカスの移動カーブの設定処理が開始されると、移動カーブ設定マーク６２をモニタ１５の画面１５ａ上に黄色で表示させる。
【００７８】
そして次に、図１６（ｄ）に示すように、ＭＰＵ２８は、ズーム／フォーカスの移動カーブの設定処理が完了すると、移動カーブ設定マーク６２をモニタ１５の画面１５ａ上に緑色で表示させる。また同時に、ＭＰＵ２８は、ズーム／フォーカスの目標位置の設定処理が開始されると、目標ポイント設定マーク６３をモニタ１５の画面１５ａ上に黄色で表示させる。
【００７９】
続いて、図１６（ｅ）に示すように、ＭＰＵ２８は、ズーム／フォーカスの目標位置の設定処理が完了すると、目標ポイント設定マーク６３をモニタ１５の画面１５ａ上に緑色で表示させる。また同時に、ＭＰＵ２８は、ズーム／フォーカスの開始位置の設定処理が開始されると、開始ポイント設定マーク６４をモニタ１５の画面１５ａ上に黄色で表示させる。
【００８０】
さらに、図１６（ｆ）に示すように、ＭＰＵ２８は、ズーム／フォーカスの開始位置の設定処理が完了すると、開始ポイント設定マーク６４をモニタ１５の画面１５ａ上に緑色で表示させる。
【００８１】
また、本実施形態のカメラ１１において設定可能な６つの動画撮影モードのうち、他の動画撮影モードとして、被写体が不連続に移動したように再生される動画を撮影する動画撮影モードが選択されたとする。
【００８２】
この場合、ＭＰＵ２８は、図１７（ａ）に示す撮影条件設定バー６５をモニタ１５の画面１５ａ上に表示させる。この撮影条件設定バー６５は、開始タイミング設定マーク６６及び終了タイミング設定マーク６７が対をなすようにして構成されている。なお、動画撮影モードの選択がされた直後における初期画面では、これらのマーク６６，６７はモニタ１５の画面１５ａ上に白色で表示されている。
【００８３】
そして、図１７（ｂ）に示すように、ＭＰＵ２８は、動画の録画時間の設定処理が開始されると、撮影条件設定バー６５において上記一対のマーク６６，６７によって挟まれる領域を除く全ての領域６８を、モニタ１５の画面１５ａ上に黄色で表示させる。
【００８４】
続いて、図１７（ｃ）に示すように、ＭＰＵ２８は、動画の録画時間の設定処理が完了すると、上記の領域６８における黄色の表示を消去させる。また同時に、ＭＰＵ２８は、動画の撮影を中断する時間、及び、動画の撮影を中断する回数の設定処理が開始されると、開始タイミング設定マーク６６及び終了タイミング設定マーク６７をモニタ１５の画面１５ａ上に黄色で表示させる。
【００８５】
さらに、図１７（ｄ）に示すように、動画の撮影を中断する時間、及び、動画の撮影を中断する回数の設定処理が完了すると、開始タイミング設定マーク６６及び終了タイミング設定マーク６７をモニタ１５の画面１５ａ上に緑色で表示させる。
【００８６】
また、本実施形態のカメラ１１において設定可能な６つの動画撮影モードのうち、他の動画撮影モードとして、被写体を徐々に拡大して出現させるフェードイン機能や、被写体を徐々に縮小して消滅させるフェードアウト機能を用いた動画を撮影する動画撮影モードが選択されたとする。
【００８７】
この場合、ＭＰＵ２８は、図１８（ａ）に示す撮影条件設定バー６９をモニタ１５の画面１５ａ上に表示させる。この撮影条件設定バー６９は、開始タイミング設定マーク７０及び終了タイミング設定マーク７１を含んで構成されている。なお、動画撮影モードの選択がされた直後における初期画面では、これらのマーク７０，７１はモニタ１５の画面１５ａ上に白色で表示されている。
【００８８】
そして、図１８（ｂ）に示すように、ＭＰＵ２８は、被写体のフェードイン時間の設定処理を開始すると、撮影条件設定バー６９の左端部から開始タイミング設定マーク７０に至る領域７２及び開始タイミング設定マーク７０をモニタ１５の画面１５ａ上に黄色で表示させる。
【００８９】
続いて、図１８（ｃ）に示すように、ＭＰＵ２８は、被写体のフェードイン時間の設定処理が完了すると、上記の領域７２における黄色の表示を消去させる。また同時に、ＭＰＵ２８は、被写体の録画時間の設定処理が開始されると、撮影条件設定バー６９において開始タイミング設定マーク７０と終了タイミング設定マーク７１とによって挟まれる領域７３及び終了タイミング設定マーク７１をモニタ１５の画面１５ａ上に黄色で表示させる。
【００９０】
そして次に、図１８（ｄ）に示すように、ＭＰＵ２８は、被写体の録画時間の設定処理が完了すると、上記の領域７３及び開始タイミング設定マーク７０における黄色の表示を消去させる。また同時に、ＭＰＵ２８は、被写体のフェードアウト時間の設定処理が開始されると、撮影条件設定バー６９の右端部から終了タイミング設定マーク７１に至る領域７４をモニタ１５の画面１５ａ上に黄色で表示させる。
【００９１】
さらに、図１８（ｅ）に示すように、ＭＰＵ２８は、被写体のフェードアウト時間の設定処理が完了すると、上記の領域７４における黄色の表示を消去させると共に、開始タイミング設定マーク７０及び終了タイミング設定マーク７１をモニタ１５の画面１５ａ上に緑色で表示させる。
【００９２】
また、本実施形態のカメラ１１において設定可能な６つの動画撮影モードのうち、他の動画撮影モードとして、通常の撮影速度による動画の撮影と高速の撮影速度による動画の撮影とが連続的に実行される動画撮影モードが選択されたとする。
【００９３】
この場合、ＭＰＵ２８は、図１９（ａ）に示す撮影条件設定バー７５をモニタ１５の画面１５ａに表示させる。この撮影条件設定バー７５は、開始タイミング設定マーク７６を含んで構成されている。なお、動画撮影モードの選択がされた直後における初期画面では、開始タイミング設定マーク７６はモニタ１５の画面１５ａ上に白色で表示されている。
【００９４】
そして、図１９（ｂ）に示すように、ＭＰＵ２８は、高速の撮影速度による動画の撮影時間の設定処理を開始すると、撮影条件設定バー７５の右端部から開始タイミング設定マーク７６に至る領域７７及び開始タイミング設定マーク７６をモニタ１５の画面１５ａ上に黄色で表示させる。
【００９５】
続いて、図１９（ｃ）に示すように、ＭＰＵ２８は、高速撮影による動画の撮影時間の設定処理が完了すると、開始タイミング設定マーク７６をモニタ１５の画面１５ａ上に白色で表示させる。また同時に、ＭＰＵ２８は、高速撮影による動画の撮影速度の設定処理を開始させる。
【００９６】
そして、図１９（ｄ）に示すように、ＭＰＵ２８は、高速撮影による動画の撮影速度の設定処理が完了すると、上記の領域７７における黄色の表示を消去させると共に、開始タイミング設定マーク７６をモニタ１５の画面１５ａ上に緑色で表示させる。
【００９７】
すなわち、本実施形態のカメラ１１では、このカメラ１１において設定可能な６つの動画撮影モードのうち、何れの動画撮影モードを選択した場合であっても、ＭＰＵ２８は、選択された動画撮影モードに対応する撮影条件設定バーをモニタ１５の画面１５ａに表示させる。また、ＭＰＵ２８は、各々の動画撮影モードにおける撮影条件の設定処理の進捗状況を識別可能とするように、撮影条件設定バー３７，５８，６０，６５，６９，７５のモニタ１５の画面１５ａ上における色表示を変化させる。また、ＭＰＵ２８は、各々の動画撮影モードにおける撮影条件の設定内容に応じて、撮影条件設定バー３７，５８，６０，６５，６９，７５のモニタ１５の画面１５ａ上における表示を変化させる。
【００９８】
また、ＭＰＵ２８は、各々の動画撮影モードにおける複数の撮影条件のうち、現時点において設定されている撮影条件が最初から何番目の撮影条件であるかを識別可能となるように、設定段階表示マーク４３のモニタ１５の画面１５ａ上における表示を変化させる。なお、この場合、ＭＰＵ２８は、設定段階表示マーク４３として、各々の動画撮影モードにおける撮影条件の個数に対応するアイコン４４をモニタ１５の画面１５ａ上に表示させる。
【００９９】
さらに、ＭＰＵ２８は、各々の動画撮影モードにおける動画の撮影時において、動画の撮影条件の設定時に表示させていた撮影条件設定バー３７，５８，６０，６５，６９，７５を、動画撮影の進捗度合いを示す動画表示バーとしても機能させる。なお、この場合、ＭＰＵ２８は、動画の撮影時には、現時点において未だに実行されていない処理を表すマークと、現時点において既に実行された処理を表すマークとを識別可能となるように、撮影条件設定バー３７，５８，６０，６５，６９，７５の色表示を変化させる。
【０１００】
以上説明した本実施形態によれば、以下に示す効果を得ることができる。
（１）ＭＰＵ２８は、動画の撮影条件の設定時において、現時点において未設定の設定項目を表すマーク、現在設定中の撮影条件を表すマーク、及び、現時点において設定済みの撮影条件を表すマークを識別可能となるように、撮影条件設定バー３７，５８，６０，６５，６９，７５の色表示を制御している。そのため、動画撮影モードに複数の撮影条件が含まれる場合であっても、ユーザは、撮影条件設定バー３７，５８，６０，６５，６９，７５の色表示を視認することにより、現時点において設定中にある撮影条件や設定が完了した撮影条件を視覚的に把握することができる。
【０１０１】
（２）ＭＰＵ２８は、動画撮影モードに含まれる各撮影条件の設定内容に応じて、撮影条件設定バー３７，５８，６０，６５，６９，７５の表示を制御している。そのため、ユーザは、動画の撮影条件の設定時において、撮影条件設定バー３７，５８，６０，６５，６９，７５の表示を視認することにより、現時点において設定中にある撮影条件や設定が完了した撮影条件の設定内容を視覚的に把握することができる。
【０１０２】
（３）ＭＰＵ２８は、動画の撮影時には、撮影条件設定バー３７，５８，６０，６５，６９，７５を動画撮影の進捗度合いを示す動画表示バーとして機能させる。そのため、ユーザは、動画の撮影時において、撮影条件設定バーの表示を視認することにより、動画撮影の進捗度合いを視覚的に把握することができる。
【０１０３】
（４）ＭＰＵ２８は、動画の撮影時には、現時点において未だに実行されていない処理を表すマークと、現時点において既に実行された処理を表すマークとを識別可能となるように、撮影条件設定バー３７，５８，６０，６５，６９，７５の色表示を変化させる。そのため、ユーザは、動画の撮影時において、撮影条件設定バー３７，５８，６０，６５，６９，７５の色表示を視認することにより、動画撮影の進捗度合いをより明確に把握することができる。
【０１０４】
（５）ＭＰＵ２８は、動画撮影モードに含まれる複数の撮影条件の中で、現時点において設定されている撮影条件が何番目の撮影条件であるかを視覚的に識別可能となるように、設定段階表示マーク４３におけるアイコン４４の表示を制御している。そのため、ユーザは、動画の撮影条件の設定時において、設定段階表示マーク４３の表示を視認することにより、動画の撮影条件の設定処理に関する進捗度合いを視覚的に把握することができる。
【０１０５】
（６）ＭＰＵ２８は、カメラ１１において設定可能な複数の動画撮影モードのうち、何れの動画撮影モードが選択されたかを視覚的に識別可能となるように、撮影条件設定バー３７，５８，６０，６５，６９，７５の表示を変化させる。そのため、ユーザは、動画の撮影条件の設定時、又は、動画の撮影時において、撮影条件設定バー３７，５８，６０，６５，６９，７５の表示を視認することにより、複数の動画撮影モードのうち、何れの動画撮影モードが現時点で設定されているかを視覚的に把握することができる。
【０１０６】
なお、上記実施形態は以下のような別の実施形態に変更してもよい。
・上記実施形態において、ＭＰＵ２８は、「Ａ／Ｂ（Ａ：現時点の設定項目のステップ数、Ｂ：総ステップ数）」のように表される画像を補助識別画像としてモニタ１５の画面１５ａ上に表示させるようにしてもよい。
【０１０７】
・上記実施形態において、ＭＰＵ２８は、動画の撮影条件の設定項目として設定された数値データ（例えば、フォーカスの移動開始時間やフォーカスの移動時間）を撮影条件設定バー３７，５８，６０，６５，６９，７５に付加してモニタ１５の画面１５ａ上に表示させるようにしてもよい。
【０１０８】
・上記実施形態において、ＭＰＵ２８は、動画の撮影条件の設定時において、現在設定中の設定項目を表すマークを点滅表示させることにより、現時点において設定済みの設定項目を表すマークと識別可能とするようにしてもよい。
【０１０９】
・上記実施形態において、ＭＰＵ２８は、動画の撮影時において、現時点において既に実行された処理を表すマークを点滅表示させることにより、現時点で未だに実行されていない処理を表すマークと識別可能とするようにしてもよい。
【０１１０】
・上記実施形態において、撮影条件設定バー３７，５８，６０，６５，６９，７５は、動画の撮影条件の設定内容を変更した場合であっても、各々の撮影条件に対応するマークの表示を変化させないようにしてもよい。
【０１１１】
・上記実施形態において、撮影条件設定バー３７，５８，６０，６５，６９，７５は、必ずしも、動画の撮影条件と個別に対応させるように、これらの撮影条件の数と同数のマークを含んで構成される必要はない。すなわち、ＭＰＵ２８が、これらの撮影条件に個別に対応する表示態様で撮影条件設定バー３７，５８，６０，６５，６９，７５を表示させる構成であれば、撮影条件設定バー３７，５８，６０，６５，６９，７５を構成するマークの個数はこれらの撮影条件の数より少なくなるようにしてもよい。
【０１１２】
・上記実施形態において、ＭＰＵ２８は、動画撮影モードに含まれる複数の撮影条件のうち、現在設定中の撮影条件を表すマークの表示を変化させることなく、設定が完了した撮影条件を表すマークの表示のみを変化させるようにしてもよい。
【０１１３】
・上記実施形態において、撮影条件が設定される対象となる画像は動画に限定されず、静止画の撮影条件の設定時に、現時点において未設定の撮影条件を表すマーク、現在設定中の撮影条件を表すマーク、現時点において設定済みの撮影条件を表すマークを識別可能となるように、撮影条件設定バーをモニタ１５の画面１５ａ上に表示するようにしてもよい。
【０１１４】
・上記実施形態において、カメラ１１のＭＰＵ２８を例えばＵＳＢ回線等により高精細テレビ等の大型の表示装置に画像情報及び制御情報を通信可能に接続し、カメラ１１から表示装置に送信した撮像画像の画像情報に基づき表示装置が有する大きな画面上において画像及び当該画像の撮影条件を示す撮影条件設定バー３７，５８，６０，６５，６９，７５を表示させるようにしてもよい。この場合は、表示装置が表示手段となり、カメラ１１のＭＰＵ２８と共に、表示制御装置を構成することになる。
【０１１５】
・上記実施形態において、カメラ１１に着脱自在とされたＳＤカード等からなるメモリカード３２をカメラ１１から取り出すと共に、高精細テレビ等の表示装置に情報通信可能に接続された制御装置が有するカードスロットに装着し、その制御装置の制御により表示装置の画面上に画像及び当該画像の撮影条件を示す撮影条件設定バー３７，５８，６０，６５，６９，７５を表示させるようにしてもよい。この場合、表示装置が表示手段となり、カードスロットを有する制御装置と共に、表示制御装置を構成することになる。
【符号の説明】
【０１１６】
１１…電子カメラとしてのデジタルスチルカメラ、１５…表示制御装置を構成する表示手段としてのモニタ、２１…表示制御装置を構成する設定手段としての決定ボタン、２５…撮像手段としての撮像素子、２８…表示制御装置を構成する制御手段としてのＭＰＵ、３７…識別画像としての撮影条件設定バー、３８…開始タイミング設定マーク、３９…終了タイミング設定マーク、４０…移動カーブ設定マーク、４１…開始ポイント設定マーク、４２…目標ポイント設定マーク、４３…補助識別画像としての設定段階表示マーク、５８…識別画像としての撮影条件設定バー、５９…撮影時間設定マーク、６０…識別画像としての撮影条件設定バー、６１…移動速度設定マーク、６２…移動カーブ設定マーク、６３…目標ポイント設定マーク、６４…開始ポイント設定マーク、６５…識別画像としての撮影条件設定バー、６６…開始タイミング設定マーク、６７…終了タイミング設定マーク、６９…識別画像としての撮影条件設定バー、７０…開始タイミング設定マーク、７１…終了タイミング設定マーク、７５…識別画像としての撮影条件設定バー、７６…開始タイミング設定マーク。
【図１】
2011244424.tif 000003
【図２】
2011244424.tif 000004
【図３】
2011244424.tif 000005
【図４】
2011244424.tif 000006
【図５】
2011244424.tif 000007
【図６】
2011244424.tif 000008
【図７】
2011244424.tif 000009
【図８】
2011244424.tif 000010
【図９】
2011244424.tif 000011
【図１０】
2011244424.tif 000012
【図１１】
2011244424.tif 000013
【図１２】
2011244424.tif 000014
【図１３】
2011244424.tif 000015
【図１４】
2011244424.tif 000016
【図１５】
2011244424.tif 000017
【図１６】
2011244424.tif 000018
【図１７】
2011244424.tif 000019
【図１８】
2011244424.tif 000020
【図１９】
2011244424.tif 000021